(57)【要約】      （修正有）【課題】消費電力を削減した端末装置、基地局装置検出方法、無線通信システム、基地局装置を提供し、また、スループットを向上させた端末装置等を提供する。【解決手段】第１、第２の基地局群を備えた無線通信システムにおいて利用され、第２の基地局群に属する特定の基地局についてアクセスが許容され、それら以外の基地局についてアクセスが許容されない端末装置において、第１の基地局群に属するいずれかの基地局から識別子を受信する受信部と、受信した識別子が、第１の基地局群に属する基地局のうち前記特定の基地局に対応づけられた基地局の識別子である場合、第２の基地局群についての基地局検出処理を実行し、第１の基地局群に属するいずれかの基地局から受信した識別子が、第１の基地局群に属する基地局のうち前記特定の基地局に対応づけられた基地局の識別子でない場合、第２の基地局群についても基地局検出処理の実行を規制する検出部とを備える。【選択図】図１
2010041652.tif 000002
【特許請求の範囲】
【請求項１】
第１の基地局群、第２の基地局群を備えた無線通信システムにおいて利用される端末装置であって、該第２の基地局群に属する基地局については、特定の基地局についてアクセスが許容され、該特定の基地局以外の基地局についてアクセスが許容されない端末装置において、
前記第１の基地局群に属するいずれかの基地局から識別子を受信する受信部と、
受信した該識別子が、前記第１の基地局群に属する基地局のうち前記特定の基地局に対応づけられた基地局の識別子である場合、前記第２の基地局群についての基地局検出処理を実行し、前記第１の基地局群に属するいずれかの基地局から受信した識別子が、前記第１の基地局群に属する基地局のうち前記特定の基地局に対応づけられた基地局の識別子でない場合、前記第２の基地局群についても基地局検出処理の実行を規制する検出部と
を備えることを特徴とする端末装置。
【請求項２】
前記第１の基地局群に属する基地局のうち前記特定の基地局に対応づけられた基地局は、該特定の基地局を自身のセル内に含む前記第１の基地局群に属する基地局であることを特徴とする請求項１記載の端末装置。  
【請求項３】
前記検出部は前記第２の基地局群のうち前記特定の基地局の送信周波数に切り替えることにより前記基地局検出処理を実行することを特徴とする請求項１記載の端末装置。    
【請求項４】
前記識別子はＳＣＨ（Synchronization channel）であることを特徴とする請求項１記載の端末装置。  
【請求項５】
前記識別子はＢＣＨ（Broadcast channel）に含まれるセルＩＤであることを特徴とする請求項１記載の端末装置。  
【請求項６】
前記識別子はスクランブリングコードであることを特徴とする請求項１記載の端末装置。
【請求項７】
第１の基地局群、第２の基地局群を備えた無線通信システムにおいて利用される端末装置であって、該第２の基地局群に属する基地局については、特定の基地局についてアクセスが許容され、該特定の基地局以外の基地局についてアクセスが許容されない端末装置における基地局検出方法であって、
前記第１の基地局群に属するいずれかの基地局から識別子を受信し、
受信した該識別子が、前記第１の基地局群に属する基地局のうち前記特定の基地局に対応づけられた基地局の識別子である場合、前記第２の基地局群についての基地局検出処理を実行し、前記第１の基地局群に属するいずれかの基地局から受信した識別子が、前記第１の基地局群に属する基地局のうち前記特定の基地局に対応づけられた基地局の識別子でない場合、前記第２の基地局群についても基地局検出処理の実行を規制する
ことを特徴とする基地局検出方法。
【請求項８】
第１の基地局群と、
第２の基地局群と、
該第２の基地局群に属する基地局については、特定の基地局についてアクセスが許容され、該特定の基地局以外の基地局についてアクセスが許容されない端末装置とを備えた無線通信システムにおいて、
前記端末装置は、前記第１の基地局群に属するいずれかの基地局から識別子を受信する受信部と、受信した該識別子が、前記第１の基地局群に属する基地局のうち前記特定の基地局に対応づけられた基地局の識別子である場合、前記第２の基地局群についての基地局検出処理を実行し、前記第１の基地局群に属するいずれかの基地局から受信した識別子が、前記第１の基地局群に属する基地局のうち前記特定の基地局に対応づけられた基地局の識別子でない場合、前記第２の基地局群についても基地局検出処理の実行を規制する検出部とを備えることを特徴とする無線通信システム。
【発明の詳細な説明】
【技術分野】
【０００１】
本発明は、端末装置、基地局装置検出方法、無線通信システム、及び基地局装置に関する。
【背景技術】
【０００２】
３ＧＰＰ（3rd Generation Partnership Project）において、Ｈｏｍｅ  ＮｏｄｅＢ（例えば室内で使用される基地局装置、以下「フェムトセル」）についての検討がなされている（例えば、以下の非特許文献１）。
【０００３】
フェムトセルには利用可能な端末が予め登録され、登録された端末は当該フェムトセルを利用して通信できる。これにより、端末が室内においてエリア外となることを防止でき、少人数で基地局を占有できるため、通信容量も増加させることができる。また、端末は小さい送信電力でフェムトセルと通信できる。さらに、野外に設置された一般向けの基地局装置（以下、「マクロセル」）にアクセスする端末の数が減るため、このマクロセルを使用する端末はスループットの向上を図ることができる。
【非特許文献１】3GPP TR 25.820
【発明の開示】
【発明が解決しようとする課題】
【０００４】
しかし、フェムトセルは、有用ではあるが、端末はフェムトセルを検出するために、周波数の切り替えやセルサーチ等の処理を頻繁に行うため、消費電力が大きくなる。また、端末はかかる処理を行う分だけ、データ受信に使用できる時間が減り、スループットが低下する。
【０００５】
また、端末はフェムトセルに対するセルサーチを行うことで、検出された全てのフェムトセルからＢＣＨ（Broadband Channel：報知チャネル）を受信し、フェムトセルのセルＩＤを抽出する。しかし、実際には多数あるフェムトセルのうちほとんどは他の端末専用のものである。端末はアクセスできないフェムトセルからＢＣＨを受信することになり、その分だけ端末の消費電力は増加する。
【０００６】
このような事態は、第１の基地局装置が形成するセル内に（複数の）第２の基地局装置が配置される状況があれば同様に生ずる。
【０００７】
そこで、目的の一つは、消費電力を削減した端末装置、基地局装置検出方法、無線通信システム、及び基地局装置を提供することにある。
【０００８】
また、他の目的は、スループットを向上させた端末装置等を提供することにある。
【課題を解決するための手段】
【０００９】
一態様によれば、第１の基地局群、第２の基地局群を備えた無線通信システムにおいて利用される端末装置であって、該第２の基地局群に属する基地局については、特定の基地局についてアクセスが許容され、該特定の基地局以外の基地局についてアクセスが許容されない端末装置において、前記第１の基地局群に属するいずれかの基地局から識別子を受信する受信部と、受信した該識別子が、前記第１の基地局群に属する基地局のうち前記特定の基地局に対応づけられた基地局の識別子である場合、前記第２の基地局群についての基地局検出処理を実行し、前記第１の基地局群に属するいずれかの基地局から受信した識別子が、前記第１の基地局群に属する基地局のうち前記特定の基地局に対応づけられた基地局の識別子でない場合、前記第２の基地局群についても基地局検出処理の実行を規制する検出部とを備える。
【００１０】
また、他の態様によれば、第１の基地局群、第２の基地局群を備えた無線通信システムにおいて利用される端末装置であって、該第２の基地局群に属する基地局については、特定の基地局についてアクセスが許容され、該特定の基地局以外の基地局についてアクセスが許容されない端末装置における基地局検出方法であって、前記第１の基地局群に属するいずれかの基地局から識別子を受信し、受信した該識別子が、前記第１の基地局群に属する基地局のうち前記特定の基地局に対応づけられた基地局の識別子である場合、前記第２の基地局群についての基地局検出処理を実行し、前記第１の基地局群に属するいずれかの基地局から受信した識別子が、前記第１の基地局群に属する基地局のうち前記特定の基地局に対応づけられた基地局の識別子でない場合、前記第２の基地局群についても基地局検出処理の実行を規制する。
【００１１】
さらに、他の態様によれば、第１の基地局群と、第２の基地局群と、該第２の基地局群に属する基地局については、特定の基地局についてアクセスが許容され、該特定の基地局以外の基地局についてアクセスが許容されない端末装置とを備えた無線通信システムにおいて、前記端末装置は、前記第１の基地局群に属するいずれかの基地局から識別子を受信する受信部と、受信した該識別子が、前記第１の基地局群に属する基地局のうち前記特定の基地局に対応づけられた基地局の識別子である場合、前記第２の基地局群についての基地局検出処理を実行し、前記第１の基地局群に属するいずれかの基地局から受信した識別子が、前記第１の基地局群に属する基地局のうち前記特定の基地局に対応づけられた基地局の識別子でない場合、前記第２の基地局群についても基地局検出処理の実行を規制する検出部とを備える。
【発明の効果】
【００１２】
消費電力を削減した端末装置、基地局装置検出方法、無線通信システム、及び基地局装置を提供することができる。また、スループットを向上させた端末装置等を提供できる。
【発明を実施するための最良の形態】
【００１３】
以下、図面を参照して実施するための最良の形態を説明する。
【００１４】
ここでは、第１の基地局装置の例としてマクロセル基地局、第２の基地局装置の例としてフェムトセル基地局を用いることとするが、これに限らず、第１の基地局装置の形成するセル内に１又は複数の第２の基地局装置が配置されるような無線通信システムを用いることもできる。
【００１５】
（第１の実施例）
図１は端末装置（以下、「端末」）１０の構成例を示す図である。端末１０は、フェムトセルＳＣＨ検出部１１と、フェムトセルＳＣＨコード番号記憶部１２と、ＳＣＨコード番号テーブル１３と、マクロセルＳＣＨ検出部１４と、同一グループ判定部１５と、フェムトセル周波数切り替え部１６と、データ受信部１７、及びデータ送信部１８を備える。
【００１６】
フェムトセルＳＣＨ検出部１１は、フェムトセルから送信されたＳＣＨ（Synchronization channel）を検出する。フェムトセルとして、例えば室内等に設置された基地局装置（以下、「基地局」）を用いることができ、当該基地局は、当該基地局に登録された端末１０にアクセスを制限し、インターネットサービス等を提供することもできる。この場合、当該基地局に登録されない端末、非登録端末は、フェムトセルを利用した通信サービスを受けないこととなる。なお、マクロセルとして、野外に設置され、端末１０と通信できる基地局を用いることができる。マクロセルでは、利用を許容する端末数をフェムトセルに対して多くすることができ、カバーエリアもフェムトセルより大きくすることができる。
【００１７】
フェムトセルＳＣＨコード番号記憶部１２は、当該端末１０のアクセスが許可された（登録された）フェムトセルについてのＳＣＨのコード番号を記憶する。
【００１８】
ＳＣＨコード番号テーブル１３は、フェムトセルとマクロセルのそれぞれのＳＣＨのコード番号を記憶したテーブルである。図２はセル構成の例、図３はＳＣＨコード番号テーブル１３の例をそれぞれ示す図である。
【００１９】
マクロセルとフェムトセルは、それぞれ予め決められたＳＣＨコード番号が割り当てられる。例えば、図２に示すように、基地局（マクロセル）２０‐１はＳＣＨコード番号「１２」、基地局（マクロセル）２０‐２は「２３」、基地局（フェムトセル）２１‐１は「１７」等が割り振られる。ＳＣＨコード番号テーブル１３では、マクロセルのセル範囲内に配置されたフェムトセルをＳＣＨコード番号によりグループ化している。あるいは、ＳＣＨコード番号がＳＣＨコード番号テーブル１３に示されるグループとなるようにフェムトセルとが配置される。言い換えると、マクロセルとそのマクロセル内のフェムトセル（マクロセル外ではあるが、隣接するフェムトセルを含めることもできるし、含めなくともよい）との対応関係が図３のテーブルで定義されており、特に、アクセスが許容されるフェムトセル２２‐２とそのフェムトセルをセル内に含むマクロセル２３とが対応づけられて記憶されている。例えば図２は、図３によるグループ分けを満たすようにＳＣＨコードが配置されている。すなわち、基地局（マクロセル）２０‐２のエリア内に、基地局（フェムトセル）２２‐１〜２２‐３が存在しているので、基地局（マクロセル）２０‐２のＳＣＨコード番号「２３」と基地局（フェムトセル）２２‐１〜２２‐３のＳＣＨコード番号「２５」，「２６」，「２７」は、図３において同じグループになるようネットワーク設計において決定されている。
【００２０】
また、図３の例では、マクロセル用ＳＣＨコード番号「１２」，「１５」の２つの基地局（マクロセル）が「１１」〜「１８」までの同じフェムトセル用ＳＣＨコード番号を有している。例えば、１つのマクロセル用ＳＣＨコード番号に対して複数のフェムトセル用ＳＣＨコード番号を有してもよいし、３つ以上のマクロセル用ＳＣＨコード番号が同じフェムトセル用ＳＣＨコード番号を有してもよい。
【００２１】
なお、ＳＣＨコード番号は各セルを識別する識別子でもある。マクロセルとフェムトセル（基地局）の構成例は後述する。
【００２２】
図１に戻り、マクロセルＳＣＨ検出部１４はマクロセルから送信されたＳＣＨを検出し、ＳＣＨコード番号を出力する。
【００２３】
同一グループ判定部１５は、受信したマクロセルのＳＣＨコード番号が、記憶されたフェムトセルのＳＣＨコード番号と同一グループか否かを判定する。例えば、端末１０がフェムトセル２２‐２に登録されている場合（図２参照）、このフェムトセルのＳＣＨ番号は「２６」である。ＳＣＨコード番号テーブル１３に記憶されているフェムトセルのＳＣＨ番号「２６」に対応するマクロセルのＳＣＨ番号は「２１」または「２３」である。よって、同一グループ判定部１５は、検出したマクロセルのＳＣＨ番号が「２１」または「２３」か否かを検出する。同一グループ判定部１５は同一グループと判定したときフェムトセル周波数切り替え部１６に周波数切り替えを指示する。
【００２４】
フェムトセル周波数切り替え部１６は、周波数切り替え指示を受けたとき、マクロセルの送信周波数からフェムトセルの送信周波数に切り替える。
【００２５】
なお、本実施例では、例えば図２に示すように、各フェムトセル２１‐１〜２２‐３は同一の周波数でデータ等を送信する。端末１０は当該周波数に切り替えることでフェムトセル２１‐１〜２２‐３に対するセルサーチ等の処理を行う。
【００２６】
また、本実施例では、フェムトセルの基地局２１‐１〜２２‐３とマクロセルの基地局２０‐１，２０‐２はそれぞれ異なる周波数で配下の端末と通信するものとする。この場合、例えば図２に示すように、マクロセルの基地局２０‐１，２０‐２は収容する端末数を増加させるため２つの周波数（周波数１、周波数２）で端末１０と通信してもよい。
【００２７】
データ受信部１７は基地局（マクロセルとフェムトセル）からデータを受信する。また、データ送信部１８は基地局にデータを送信する。
【００２８】
図４は基地局（以下、「基地局」）２０の構成例を示す図である。フェムトセルとマクロセルの基地局は同様の構成である。なお、フェムトセルのセル半径は小さくてよいため、送信パワーとマクロセルに対して小さく設定することもできる。基地局２０は、ＳＣＨ送信部２１と、ＢＣＨ送信部２２と、データ受信部２３、及びデータ送信部２４を備える。
【００２９】
ＳＣＨ送信部２１はＳＣＨを送信し、ＢＣＨ送信部２２はセルＩＤを含むＢＣＨを送信する。フェムトセルとマクロセルの各基地局２０のＳＣＨコード番号が図２に示すようにグループ分けされるためには、ＳＣＨ送信部２１は予め決められたＳＣＨコード番号のＳＣＨを送信する。例えば、マクロセルの基地局２０‐２の場合、ＳＣＨ送信部２１はＳＣＨ番号「２３」のＳＣＨを送信し、フェムトセルの基地局２２‐２の場合、ＳＣＨ送信部２１は番号「２６」のＳＣＨを送信する。なお、各基地局２０に割り振られたＳＣＨコード番号はＳＣＨ送信部２１に記憶される。セルＩＤも同様に各基地局２０に割り当てられＢＣＨ送信部２２は当該セルＩＤを含むＢＣＨを送信する。
【００３０】
データ受信部２３は端末１０からのデータを受信し、データ送信部２４は端末１０にデータを送信する。
【００３１】
次に動作を説明する。図５は端末１０における処理の例を示すフローチャートである。なお、端末１０は本処理開始前に、フェムトセル検出部１１によりアクセスが許可された（登録された）フェムトセル（例えば、フェムトセル２２‐２）からＳＣＨを受信し、フェムトセルＳＣＨコード番号記憶部１２に当該フェムトセルのコード番号が記憶されているものとする。
【００３２】
まず、端末１０はマクロセルに対するセルサーチを開始する（Ｓ１０）。例えば、フェムトセル２２‐２（ＳＣＨコード番号「２６」）に登録された端末１０が、マクロセル２０‐１に近接した他のセルに位置しているときセルサーチを開始する。
【００３３】
次いで、端末１０はあるマクロセルを検出すると、検出したマクロセルからＳＣＨを受信する（Ｓ１１）。例えば、端末１０はマクロセル２０‐１を検出し、マクロセル２０‐１からＳＣＨ（コード番号「１２」）を受信する。
【００３４】
次いで、同一グループ判定部１５は受信したマクロセルのＳＣＨコード番号と、テーブル１３に記憶したＳＣＨコード番号とを比較する（Ｓ１２）。例えば、同一グループ判定部１５は、フェムトセルＳＣＨコード番号記憶部１２からフェムトセルのＳＣＨコード番号（例えば、「２６」）を読み出し、読み出したフェムトセルのＳＣＨコード番号に対応するマクロセルのＳＣＨコード番号（例えば、「２１」，「２３」）をＳＣＨコード番号テーブル１３から読み出す。そして、同一グループ判定部１５は、この読み出したマクロセルのＳＣＨコード番号と、マクロセルＳＣＨ検出部１４からのＳＣＨコード番号（例えば、「１２」）とを比較して同一グループか否かを判定する。
【００３５】
次いで、同一グループ判定部１５は、受信したマクロセルのＳＣＨ番号がマクロセル用のＳＣＨとしてテーブル１３に登録されているか否かを判定する（Ｓ１３）。すなわち、同一グループ判定部１５は、受信したマクロセルのＳＣＨ番号（例えば、「１２」）とテーブル１３に記憶されたＳＣＨコード番号（例えば、「２１」，「２３」）とが一致するか否かを判定する。なお、フェムトセルＳＣＨコード番号記憶部１２に記憶しているＳＣＨコード番号「２６」に対応するマクロセルＳＣＨコード番号を予め特定、記憶しておき、テーブルの参照処理を後に行わなくてもよいようにすることもできる。その場合、ＳＣＨコード番号の一致検出を行う際に、記憶しているフェムトセルＳＣＨコード番号「２６」自体を利用しなくてもよいこととなる。
【００３６】
一致しない場合（Ｓ１３でＮｏ）、端末１０はフェムトセルへの周波数切り替えやフェムトセルに対するセルサーチ、ＢＣＨ受信の処理等を行うことなく、処理を終了する（Ｓ１６）。すなわち、マクロセルからのサービスを継続する。
【００３７】
上述の例では、記憶されたＳＣＨ（番号「２１」，「２３」）と受信したＳＣＨ（番号「１２」）は一致しないため、端末１０はこれらの処理を行うことなく処理を終了する。この場合、端末１０はマクロセル２０‐１のセル範囲内に位置し、この範囲でフェムトセルへ周波数を切り替えたとしても登録されたフェムトセル２２‐２を検出することはできない。本実施例ではこのような場合に端末１０は、フェムトセル２２‐２を検出するためにフェムトセルへの周波数切り替え、フェムトセルからのＢＣＨ受信等の処理を行わない。従って、かかる処理を行う場合と比較して端末１０の消費電力は削減できる。また、端末１０はフェムトセルと通信を行うことがないため、フェムトセル検出のための無駄な周波数切り替えを省き、マクロセルにおけるデータ送受信機会を増やすことにより、スループットも向上する。なお、この場合、端末１０はマクロセルの周波数を維持したままの状態で一連の処理を終了する。
【００３８】
一方、一致する場合（Ｓ１３でＹｅｓ）、フェムトセル周波数切り替え部１６はフェムトセルの周波数に切り替える（Ｓ１４）。そして端末１０は、フェムトセルに対しセルサーチを行い、フェムトセルからＢＣＨを受信し、登録されたフェムトセルか否かを検出し、登録されたフェムトセルの場合当該セルと通信を行う（Ｓ１５）。
【００３９】
例えば、端末１０がマクロセル２０‐２のセル範囲内に位置したとき、マクロセル２０‐２から受信したＳＣＨ（コード番号「２３」）は、テーブル１３に記憶されたマクロセル用のＳＣＨ（コード番号「２１」，「２３」）と一致する。この場合、マクロセル２０‐２はそのセル範囲内に登録されたフェムトセル２２‐２が配置されているため、フェムトセル用の周波数へ切り替えを行い、セルサーチ等の処理によりセル２２‐２の検出を行う。
【００４０】
以上のように、この実施例では、端末は、受信部により識別子をマクロセルを構成するいずれかの基地局から受信するが、受信した識別子が、マクロセルを構成する基地局群に属する基地局のうち、アクセスが許容された特定のフェムトセル基地局に対応づけられた基地局の識別子である場合、フェムトセル群（特定のフェムトセルだけでもよい）についての基地局検出処理を実行するが、マクロセルを構成する基地局群に属するいずれかの基地局から受信した識別子が、アクセスが許容された特定のフェムトセル基地局に対応づけられた基地局の識別子でない場合、フェムトセル群についての基地局検出処理の実行を規制するのである。
【００４１】
（第２の実施例）
次に第２の実施例を説明する。ＢＣＨに含まれるセルＩＤを用いてグループ分けする例である。
【００４２】
図６は第２の実施例における端末１０の構成例を示す図である。端末１０は、さらにマクロセルＢＣＨ受信部１０１と、セルＩＤ抽出部１０２と、セルＩＤ番号テーブル１０３と、フェムトセルのセルＩＤ番号記憶部１０４を備える。
【００４３】
マクロセルＢＣＨ受信部１０１は、マクロセルから送信されたＢＣＨを受信する。
【００４４】
セルＩＤ抽出部１０２は、受信したＢＣＨからセルＩＤを抽出する。
【００４５】
セルＩＤ番号テーブル１０３は、マクロセルのセル範囲内に配置されるフェムトセルをセルＩＤによりグループ化したテーブルである。図７はセルＩＤ番号テーブル１０３の例を示す図である。セルＩＤ「６４」のマクロセルのセル範囲内に、セルＩＤ「６５」〜「１２７」のフェムトセルが配置される。あるいは、セルＩＤがかかる配置となるようにフェムトセルを設置する。このようなグループ分けの仕方は、ＳＣＨコード番号によりグループ分けした第１の実施例と同様である。
【００４６】
このようなグループ分けが実行されるためには、マクロセルとフェムトセルは各々割り振られたセルＩＤを送信する必要がある。第２の実施例における基地局２０の構成例を図４に示す。ＢＣＨ送信部２２は各々グループ分けにより割り振られたセルＩＤを含むＢＣＨを送信する。フェムトセルのセルＩＤ番号記憶部１０４は、端末１０が登録された（アクセス許可された）フェムトセルのセルＩＤが記憶される。
【００４７】
図８は第２の実施例における端末１０の処理の例を示すフローチャートである。端末１０は本処理開始前にフェムトセルのセルＩＤがセルＩＤ番号記憶部１０４に記憶されているものとする。
【００４８】
端末１０は、マクロセルに対するセルサーチ（Ｓ１０）により、あるマクロセルを検出しＳＣＨを受信する（Ｓ１１）。そして、端末１０のマクロセルＢＣＨ受信部１０１はマクロセルからＢＣＨを受信する（Ｓ２１）。
【００４９】
次いで、セルＩＤ抽出部１０２は受信したＢＣＨからセルＩＤを抽出し、同一グループ判定部１５は、フェムトセルのセルＩＤ番号記憶部１０４からフェムトセルのセルＩＤを読み出し、セルＩＤ番号テーブル１０３から当該セルＩＤに対応するマクロセルのセルＩＤを読み出し、受信したセルＩＤと一致するか否か判定する（Ｓ１２，Ｓ２２）。
【００５０】
一致しないとき（Ｓ２２でＮｏ）、端末１０はフェムトセルへの周波数切り替えや、フェムトセルに対するセルサーチ、フェムトセルからのＢＣＨ受信等の処理を行うことなく処理を終了する（Ｓ１６）。
【００５１】
例えば、端末１０がフェムトセル２２‐２に登録されて、マクロセル２０‐１に位置しているとき、マクロセル２０‐１のセルＩＤのグループにはフェムトセル２２‐２のセルＩＤは含まない。この場合、端末１０はフェムトセルへの周波数切り替え等を行うことなく処理を終了する。本第２の実施例でも、端末１０はかかる処理を行わないため、周波数切り替え等の処理を行う場合と比較して端末１０の消費電力を削減できる。また、フェムトセル検出のための無駄な周波数切り替えを省き、マクロセルにおけるデータ送受信機会を増やすことにより、スループットも向上する。
【００５２】
一方、一致するとき（Ｓ２３でＹｅｓ）、端末１０はフェムトセルの周波数に切り替えて（Ｓ１４）、フェムトセルに対するセルサーチやＢＣＨ受信等を行い（Ｓ１５）、一連の処理を終了する。
【００５３】
例えば、端末１０が登録したフェムトセル２２‐２を含むマクロセル２０‐２の位置するとき、フェムトセル周波数切り替え部１６はフェムトセルの周波数への切り替え等を行う。そして、端末１０はフェムトセル２２‐２のセル範囲に位置することを検出すると当該セル２２‐２と通信を行う。
【００５４】
（第３の実施例）
次に第３の実施例について説明する。第３の実施例は、ＳＣＨ検出時に得られるスクランブルコードによりセルをグループ化した例である。図９は端末１０の構成例を示す図である。基地局２０の構成例は第１の実施例と同様に図４に示す。
【００５５】
端末１０は、さらにフェムトセルスクランブリングコード検出部（以下、第３の実施例において「フェムトセルコード検出部」）１１１と、フェムトセルのスクランブリングコード番号記憶部（以下、第３の実施例において「コード番号記憶部」）１１２と、スクランブリングコード番号テーブル（以下、第３の実施例において「コード番号テーブル」）１１３と、マクロセルスクランブリングコード検出部（以下、第３の実施例において「マクロセルコード検出部」）１１４を備える。
【００５６】
フェムトセルコード検出部１１１は、フェムトセルＳＣＨ検出部１１で検出されたＳＣＨに基づいて、登録されたフェムトセルのスクランブリングコード番号を検出する。例えば、フェムトセルコード検出部１１１は、ＳＣＨの検出により得られたタイミングなどの情報に基づいてフェムトセルのスクランブルコードを検出する。
【００５７】
コード番号記憶部１１２は、端末１０が登録されたフェムトセルのスクランブリングコード番号を記憶する。なお、コード番号記憶部１１２へのコード番号記憶は、端末１０が予めフェムトセル配下に位置してフェムトセルへの登録するときに記憶される。
【００５８】
コード番号テーブル１１３は、マクロセルのセル範囲内に配置されるフェムトセルをスクランブリングコード番号によりグループ化したテーブルである。図１０はコード番号テーブル１１３の例を示す図である。スクランブリングコード番号「２０」，「２５」のマクロセルのセル範囲内に、スクランブリングコード番号「１７」〜「３２」のフェムトセルが配置される。あるいは、スクランブリングコード番号がかかる配置となるようにフェムトセルを設置する。このようなグループ分けの仕方は、ＳＣＨコード番号によりグループ分けした第１の実施例と同様である。
【００５９】
マクロセルコード検出部１１４は、マクロセルＳＣＨ検出部１４で検出されたマクロセルのＳＣＨに基づいて、マクロセルのスクランブリングコード番号を検出する。例えば、マクロセルコード検出部１１４は、ＳＣＨ検出で得られたタイミングなどの情報に基づいてコード番号を検出する。マクロセルコード検出部１１４は、検出したコード番号を同一グループ判定部１５に出力する。
【００６０】
図１１は端末１０における処理の例を示すフローチャートである。端末１０はマクロセルのＳＣＨを検出（Ｓ１１）した後、マクロセルコード検出部１１４がマクロセルに対するスクランブリングコード番号を検出する（Ｓ３１）。
【００６１】
次いで、同一グループ判定部１５は、コード番号記憶部１１２からフェムトセルのスクランブリングコード番号を読み出し、対応するマクロセルのスクランブリングコード番号をコード番号テーブル１１３から読み出し、受信したスクランブリングコード番号と一致するか否かと一致するか否かを判定する（Ｓ１２，Ｓ３２）。
【００６２】
一致しない場合（Ｓ３２でＮｏ）、端末１０はフェムトセルの周波数への切り替えや、フェムトセルに対するセルサーチ、フェムトセルからのＢＣＨ受信等の処理を行うことなく終了する（Ｓ１６）。
【００６３】
一方、一致する場合（Ｓ３２でＹｅｓ）、端末１０はフェムトセルへ周波数を切り替え（Ｓ１４）、フェムトセルに対するセルサーチやＢＣＨ受信等の処理を行い、一連の処理を終了する（Ｓ１５，Ｓ１６）。その後、端末１０は登録したフェムトセルを検出すると当該セルと通信を行う。  
【００６４】
本実施例も、例えば端末１０がマクロセル２０‐１のセル範囲に位置するとき、登録されたフェムトセル２２‐１をセル範囲に持つマクロセル２０‐２とは異なるスクランブリングコード番号を受信する（Ｓ３２でＮｏ）。この場合、端末１０は周波数切り替え等の処理を行うことなく処理を終了する（Ｓ１６）。従って、端末１０は消費電力の削減とスループットの向上を図ることができる。
【００６５】
また、第３の実施例は、第２の実施例と比較してＢＣＨの受信処理（Ｓ２１）を省いて同一グループの判定（Ｓ３２）を行うことができるため、さらに消費電力を削減できる。
【００６６】
なお、第３の実施例は、Ｗ−ＣＤＭＡ等のように、セルの識別にスクランブリングコード番号を用いている場合に有効である。
【００６７】
（その他の実施例）
第１〜第３の実施例において同一グループ判定部１５で行う判定は種々のものが考えられる。例えば、第１の実施例において、フェムトセルＳＣＨコード番号記憶部１２は、記憶したＳＣＨのコード番号に対応するマクロセルのコード番号をＳＣＨコード番号テーブル１３から読み出して記憶してもよい。同一グループ判定部１５は、記憶部１２に記憶されたマクロセルのＳＣＨコード番号と、受信したマクロセルのＳＣＨコード番号とを比較して判定できる。第２、第３の実施例も同様に実施できる。
【００６８】
また、第１〜第３の実施例において、マクロセルとフェムトセルの端末１０と通信するための周波数は、異なるものとして説明した（図２等）。２つの周波数が同じ場合でも実施できる。この場合、図３に示すＳＣＨコード番号テーブル１３においてフェムトセルのＳＣＨコード番号と、マクロセルのＳＣＨコード番号とは全て異なる番号が割り当てられる。第２及び第３の実施例も同様に各ＩＤ等がマクロセルとフェムトセルとで異なるように割り当てられる。コード番号が同じでも周波数が異なれば端末１０は異なるセルからのコード番号と認識できるからである。
【００６９】
さらに、第１の実施例において、ＳＣＨコード番号テーブル１３とフェムトセルＳＣＨコード番号記憶部１２とは別々の構成ではなく一構成でも実施可能である。第２〜第３の実施例でも同様である。  
【００７０】
以上まとめると付記のようになる。
【００７１】
（付記１）
第１の基地局群、第２の基地局群を備えた無線通信システムにおいて利用される端末装置であって、該第２の基地局群に属する基地局については、特定の基地局についてアクセスが許容され、該特定の基地局以外の基地局についてアクセスが許容されない端末装置において、
前記第１の基地局群に属するいずれかの基地局から識別子を受信する受信部と、
受信した該識別子が、前記第１の基地局群に属する基地局のうち前記特定の基地局に対応づけられた基地局の識別子である場合、前記第２の基地局群についての基地局検出処理を実行し、前記第１の基地局群に属するいずれかの基地局から受信した識別子が、前記第１の基地局群に属する基地局のうち前記特定の基地局に対応づけられた基地局の識別子でない場合、前記第２の基地局群についても基地局検出処理の実行を規制する検出部と
を備えることを特徴とする端末装置。
【００７２】
（付記２）
前記第１の基地局群に属する基地局のうち前記特定の基地局に対応づけられた基地局は、該特定の基地局を自身のセル内に含む前記第１の基地局群に属する基地局であることを特徴とする付記１記載の端末装置。
【００７３】
（付記３）
前記検出部は前記第２の基地局群のうち前記特定の基地局の送信周波数に切り替えることにより前記基地局検出処理を実行することを特徴とする付記１記載の端末装置。  
【００７４】
（付記４）
前記識別子はＳＣＨ（Synchronization channel）であることを特徴とする付記１記載の端末装置。  
【００７５】
（付記５）
前記識別子はＢＣＨ（Broadcast channel）に含まれるセルＩＤであることを特徴とする付記１記載の端末装置。
【００７６】
（付記６）
前記識別子はスクランブリングコードであることを特徴とする付記１記載の端末装置。
【００７７】
（付記７）  
第１の基地局群、第２の基地局群を備えた無線通信システムにおいて利用される端末装置であって、該第２の基地局群に属する基地局については、特定の基地局についてアクセスが許容され、該特定の基地局以外の基地局についてアクセスが許容されない端末装置における基地局検出方法であって、
前記第１の基地局群に属するいずれかの基地局から識別子を受信し、
受信した該識別子が、前記第１の基地局群に属する基地局のうち前記特定の基地局に対応づけられた基地局の識別子である場合、前記第２の基地局群についての基地局検出処理を実行し、前記第１の基地局群に属するいずれかの基地局から受信した識別子が、前記第１の基地局群に属する基地局のうち前記特定の基地局に対応づけられた基地局の識別子でない場合、前記第２の基地局群についても基地局検出処理の実行を規制する
ことを特徴とする基地局検出方法。
【００７８】
（付記８）
前記第１の基地局群に属する基地局のうち前記特定の基地局に対応づけられた基地局は、該特定の基地局を自身のセル内に含む前記第１の基地局群に属する基地局であることを特徴とする付記７記載の基地局検出方法。
【００７９】
（付記９）
前記検出部は前記第２の基地局群のうち前記特定の基地局の送信周波数に切り替えることにより前記基地局検出処理を実行することを特徴とする付記７記載の基地局検出方法。
【００８０】
（付記１０）
前記識別子はＳＣＨ（Synchronization channel）であることを特徴とする付記７記載の基地局検出方法。
【００８１】
（付記１１）
前記識別子はＢＣＨ（Broadcast channel）に含まれるセルＩＤであることを特徴とする付記７記載の基地局検出方法。
【００８２】
（付記１２）
前記識別子はスクランブリングコードであることを特徴とする付記７記載の基地局検出方法。
【００８３】
（付記１３）
第１の基地局群と、
第２の基地局群と、
該第２の基地局群に属する基地局については、特定の基地局についてアクセスが許容され、該特定の基地局以外の基地局についてアクセスが許容されない端末装置とを備えた無線通信システムにおいて、
前記端末装置は、前記第１の基地局群に属するいずれかの基地局から識別子を受信する受信部と、受信した該識別子が、前記第１の基地局群に属する基地局のうち前記特定の基地局に対応づけられた基地局の識別子である場合、前記第２の基地局群についての基地局検出処理を実行し、前記第１の基地局群に属するいずれかの基地局から受信した識別子が、前記第１の基地局群に属する基地局のうち前記特定の基地局に対応づけられた基地局の識別子でない場合、前記第２の基地局群についても基地局検出処理の実行を規制する検出部とを備えることを特徴とする無線通信システム。
【００８４】
（付記１４）
前記第１の基地局群に属する基地局のうち前記特定の基地局に対応づけられた基地局は、該特定の基地局を自身のセル内に含む前記第１の基地局群に属する基地局であることを特徴とする付記１３記載の無線通信システム。
【００８５】
（付記１５）
前記検出部は前記第２の基地局群のうち前記特定の基地局の送信周波数に切り替えることにより前記基地局検出処理を実行することを特徴とする付記１３記載の無線通信システム。  
【００８６】
（付記１６）
前記識別子はＳＣＨ（Synchronization channel）であることを特徴とする付記１３記載の無線通信システム。
【００８７】
（付記１７）
前記識別子はＢＣＨ（Broadcast channel）に含まれるセルＩＤであることを特徴とする付記１３記載の無線通信システム。
【００８８】
（付記１８）
前記識別子はスクランブリングコードであることを特徴とする付記１３記載の無線通信システム。
【図面の簡単な説明】
【００８９】
【図１】図１は端末装置の構成例を示す図である。
【図２】図２はセルの構成例を示す図である。
【図３】図３はＳＣＨコード番号テーブルの例を示す図である。
【図４】図４は基地局装置の構成例を示す図である。
【図５】図５は処理の例を示すフローチャートである。
【図６】図６は端末装置の他の構成例を示す図である。
【図７】図７はセルＩＤ番号テーブルの例を示す図である。
【図８】図８は処理の例を示すフローチャートである。
【図９】図９は端末装置の他の構成例を示す図である。
【図１０】図１０はスクランブリングコード番号テーブルの例を示す図である。
【図１１】図１１は処理の例を示すフローチャートである。
【符号の説明】
【００９０】
１０  端末装置（端末）、  １１  フェムトセルＳＣＨ検出部、  １２  フェムトセルＳＣＨコード番号記憶部、  １３  ＳＣＨコード番号テーブル、  １４  マクロセルＳＣＨ検出部、  １５  同一グループ判定部、  １６  フェムトセル周波数切り替え部、  １７  データ受信部、  １８  データ送信部、  ２０  基地局装置（基地局）、  ２０‐１〜２０‐２  マクロセル（基地局）、  ２１‐１〜２１‐４，２２‐１〜２２‐３  フェムトセル（基地局）、  ２１  ＳＣＨ送信部、  ２２  ＢＣＨ送信部、  ２３  データ受信部、  ２４  データ送信部、  １０１  マクロセルＢＣＨ受信部、  １０２  セルＩＤ抽出部、  １０３  セルＩＤ番号テーブル、  １０４  フェムトセルのセルＩＤ番号記憶部、  １１１  フェムトセルスクランブリングコード検出部（フェムトセルコード検出部）、  １１２  フェムトセルスクランブリングコード番号記憶部（コード番号記憶部）、  １１３  スクランブリングコード番号テーブル（コード番号テーブル）、  １１４  マクロセルスクランブリングコード検出部（マクロセルコード検出部）
【図１】
2010041652.tif 000003
【図２】
2010041652.tif 000004
【図３】
2010041652.tif 000005
【図４】
2010041652.tif 000006
【図５】
2010041652.tif 000007
【図６】
2010041652.tif 000008
【図７】
2010041652.tif 000009
【図８】
2010041652.tif 000010
【図９】
2010041652.tif 000011
【図１０】
2010041652.tif 000012
【図１１】
2010041652.tif 000013